(57)【要約】【課題】使用者が支柱を移動させているときに、支柱と支柱を支持する支持台との係合を解除する操作をし続けなくても支柱を移動させることができ外観に優れた物干しアーム取り付け支柱の昇降装置を提供する。【解決手段】物干し場所の壁面に取り付けられる支持ケース３と、この支持ケース３に上下方向に移動可能に結合支持される支柱２と、この支柱２の上端に取り付けられる物干しアーム３０とからなる物干しアーム取り付け支柱の昇降装置１において、支持ケース３の内部に軸支され、ねじりコイルばね１７により支持ケース３の開口孔から支柱２側に突出する方向に付勢され、支柱２側に上下方向適当間隔おきに形成された係合孔４のいずれか一つと係合する係合片５を備え、支持ケース３内には支柱２側の係合孔４に対する係合片５の係合を解除するとともに、支柱２側の係合孔４に対し係合片５を係止状態に復帰させるバーである押し板６を備える。【選択図】図１
2012011108.tif 000002
【特許請求の範囲】
【請求項１】
物干し場所の壁面に取り付けられる支持ケースと、
この支持ケースに上下方向に移動可能に結合支持される支柱と、
この支柱の上端に取り付けられる物干しアームとからなる物干しアーム取り付け支柱の昇降装置において、
支持ケースの内部に軸支され、ばねにより支持ケースの開口孔から支柱側に突出する方向に付勢され、支柱側に上下方向適当間隔おきに形成された係合孔のいずれか一つと係合する係合片を備え、前記支持ケース内には支柱側の係合孔に対する係合片の係合を解除するとともに、支柱側の係合孔に対し係合片を係止状態に復帰させるバーを備えてなることを特徴とする物干しアーム取り付け支柱の昇降装置。
【発明の詳細な説明】
【技術分野】
【０００１】
本発明は、ベランダ等に取り付けられる物干具等の支柱の高さを変更する物干しアーム取り付け支柱の昇降装置の技術に関する。
【背景技術】
【０００２】
従来から物干しアーム取り付け支柱を昇降させる昇降装置はあった。これらの昇降装置では、押しボタンを押した状態で支柱と支柱を支持する支持台との係合が解除されるので、使用者は押しボタンを押したまま支柱を上昇あるいは下降させている。
【０００３】
特許文献１には支柱７２を昇降させる支柱昇降装置が記載されている。図９は、係合部７３と係止具７４の係止部７４ａとが係合している状態を示す断面図である。図１０は、係合部７３と係止部７４ａとの係合が外れている状態を示す断面図である。支柱７２の後面には長方形孔の係合部７３が間隔を置いて多数設けられており、使用状態では係合部７３のいずれかが係止具７４の係止部７４ａに係合している。この状態から支柱７２を上昇または下降させるためには、把手７５を持って支柱７２を少し持ち上げ、操作具７６の操作部７６ａを親指で押圧すると、ばね７７の力に抗して作動部７６ｂが作動桿７８を斜め上方に持ち上げ、離脱具７９が係止具７４の上部を押圧し、係止部７４ａと係合部７３との係合を解除し、他の離脱具７９も係合部７３を塞ぐ(図１０参照)。
【０００４】
この状態で支柱７２は上下に摺動可能となり、所望の位置で操作部７６ａの押圧を止めると、作動桿７８は、ばね７７の力で斜め下方に移動し、離脱具７９が係合部７３から離れる。支柱７２を多少上下させると係止具７４の係止部７４ａが係合部７３に合致し、ばね８０の力で係止具７４は前方に回動し、係止部７４ａが係合部７３に係合する。
【０００５】
このように、使用者は、操作具７６の操作部７６ａを親指で押圧して支柱７２をスライドさせることができる。
【先行技術文献】
【特許文献】
【０００６】
【特許文献１】特開平７−３２３１９２号公報
【発明の概要】
【発明が解決しようとする課題】
【０００７】
特許文献１に記載される支柱昇降装置では、使用者は、支柱７２を所望の位置まで移動させるとき、把手７５を持って操作具７６の操作部７６ａを押圧し続けなければならない。使用者は、操作部７６ａを押圧する動作と支柱７２を移動させる動作とを同時に行うことになり動作が煩雑になる。また、支柱７２に把手７５が取り付けられると外観が損なわれる。
【０００８】
本発明の目的はこのような課題を解決するもので、使用者が支柱を移動させているときに、支柱と支柱を支持する支持台との係合を解除する操作をし続けなくても支柱を移動させることができ外観に優れた物干しアーム取り付け支柱の昇降装置を提供することである。
【課題を解決するための手段】
【０００９】
この課題を解決するために本発明は、物干し場所の壁面に取り付けられる支持ケースと、この支持ケースに上下方向に移動可能に結合支持される支柱と、この支柱の上端に取り付けられる物干しアームとからなる物干しアーム取り付け支柱の昇降装置において、支持ケースの内部に軸支され、ばねにより支持ケースの開口孔から支柱側に突出する方向に付勢され、支柱側に上下方向適当間隔おきに形成された係合孔のいずれか一つと係合する係合片を備え、前記支持ケース内には支柱側の係合孔に対する係合片の係合を解除するとともに、支柱側の係合孔に対し係合片を係止状態に復帰させるバーを備えてなることを特徴とするものである。
【発明の効果】
【００１０】
請求項１記載の発明によれば、支持ケースの内部に軸支され、ばねにより支持ケースの開口孔から支柱側に突出する方向に付勢され、支柱側に上下方向適当間隔おきに形成された係合孔のいずれか一つと係合する係合片を備え、前記支持ケース内には支柱側の係合孔に対する係合片の係合を解除するとともに、支柱側の係合孔に対し係合片を係止状態に復帰させるバーを備えているので、バーで係合片と係合孔との係合が解除され、使用者が支柱を移動させているときに、支柱と支柱を支持する支持台との係合を解除する操作をし続けなくても支柱を移動させることができ外観に優れた物干しアーム取り付け支柱の昇降装置とすることができる。
【図面の簡単な説明】
【００１１】
【図１】ベース金具を外した状態にある物干しアーム取り付け支柱の昇降装置１の斜視図である。
【図２】物干しアーム取り付け支柱の昇降装置１の正面図である。
【図３】物干しアーム取り付け支柱の昇降装置１の断面図である。
【図４】係合片５と係合孔４との嵌合が解除された状態にある支持ケース３の断面図である。
【図５】係合片５と係合孔４との嵌合が解除された状態にある支持ケース３の斜視図である。
【図６】物干しアーム取り付け支柱の昇降装置１の正面図である。
【図７】係合孔４の下端面２９が係合突起部３４の斜面２８に当接した状態を示す断面図である。
【図８】使用状態にある物干しアーム３０の正面図である。
【図９】係合部７３と係止部７４ａとが係合している状態を示す断面図である。
【図１０】係合部７３と係止部７４ａとの係合が外れている状態を示す断面図である。
【発明を実施するための形態】
【００１２】
以下、本発明の一実施形態について図１〜図１０に基づいて説明する。図１は、ベース金具を外した状態にある物干しアーム取り付け支柱の昇降装置１の斜視図であり、図２は、物干しアーム取り付け支柱の昇降装置１の正面図である。図３は、物干しアーム取り付け支柱の昇降装置１の断面図である。図４は、係合片５と係合孔４との嵌合が解除された状態にある支持ケース３の断面図である。図５は、係合片５と係合孔４との嵌合が解除された状態の支持ケース３を示す斜視図である。図６は、物干しアーム取り付け支柱の昇降装置１の正面図である。図７は、係合孔４の下端面２９が係合突起部３４の斜面２８に当接した状態を示す断面図である。
【００１３】
物干しアーム取り付け支柱の昇降装置１（以下、支柱昇降装置１という。）は、物干しアーム３０を支持する支柱２と、支柱２を支持する支持ケース３と、支持ケース３に軸支され支柱２の係合孔４に係合して支柱２を固定する係合片５と、支持ケース３に摺動可能に取り付けられ係合片５と係合孔４との係合を解除しあるいは係合状態に復帰させるバーである押し板６と、支柱２の下端に設置され押し板６の下端面７に当接して、押し板６を摺動させ係合片５と係合孔４との係合を解除する当接金具８と、アームホルダ３１の下端に形成され押し板６の上端３２に当接して係合片５を係合孔４に嵌合可能な状態とする当接部３３とを備える。
【００１４】
支柱２は、アルミ形材から形成され、概ね中空の筒状形である。係合片５が係合する係合孔４は、支柱２の側面９長手方向に４箇所等間隔に設けられる。係合孔４が設けられる側面９の外側には長手方向に溝部１０が設けられており、支持ケース３に係合する支柱２は溝部１０に沿って摺動する。
【００１５】
支持ケース３は、アルミ形材から形成され、断面が略コの字形状である。支持ケース３の底部内面２６には、後述する押し板６を案内する案内部１１が形成されており、底部外面２７には、断面Ｌ字状の突起部１２が軸心１３を中心として左右対称に長手方向に形成されている。支持ケース３の両端部には樹脂製のキャップ１４が嵌め込まれ、突起部１２の両端はキャップ１４の凸部１５で覆われている。支柱２は、溝部１０が凸部１５に係合した状態で摺動する。なお、キャップ１４は、支持ケース３をベランダの壁などに取り付ける不図示のベース金具とともに支持ケース３にねじ止めされる。
【００１６】
係合片５は、支持ケース３の長手方向略中央部に回動可能に軸支され、支柱２の係合孔４に係合する係合突起部３４を備える。係合片５は、さらに支持ケース３の底部内面２６側に背板１９を備えており、係合突起部３４に係合孔４が係合したとき、背板１９が底部内面２６に当接して支柱２の荷重を受ける。係合片５を軸支するピン１６には、ねじりコイルばね１７が取り付けられており、ねじりコイルばね１７の一端部１８は上方に伸延して係合片５の背板１９に当接し、係合片５を底部内面２６に付勢する。ねじりコイルばね１７の他端部２０は下方に伸延して押し板６に当接している。
【００１７】
支持ケース３の底部内面２６を摺動する押し板６には、係合片５の係合突起部３４が挿通する孔部２１が形成されており、係合突起部３４は孔部２１を挿通した状態で係合孔４に嵌合する。なお支持ケース３の底部には、係合突起部３４が挿通する不図示の逃がし孔が設けられる。使用者が支柱２を引き上げて、押し板６の下端面７に当接金具８を当接させて押し板６を上方に移動させると、それに伴って孔部２１の下端面２３が係合突起部３４の斜面２４に当接しながら上方に移動して係止部２５に係合する。図４は、この状態を示す断面図である。係合突起部３４は、係合孔４から外に抜け出た状態で係止されており、係合片５と係合孔４との嵌合が解除されている。なお、押し板６の下端面７が当接金具８に当接するとき、ばね付勢される係合片５の係合突起部３４は、係合孔４から外に出て支柱２側面９に当接した状態にある。
【００１８】
図５に示すように、押し板６の下部には長方形の孔部２２が形成されており、押し板６が係止部２５に係合して係合片５と係合孔４との嵌合が解除されたとき、コイルばね１７の他端部２０が孔部２２に係合する。これによって当接金具８が押し板６から離れた後において、押し板６が不用意に移動して、係合突起部３４が係合孔４に嵌合することが防止される。なお、コイルばね１７の他端部２０は、孔部２２に係止し易くするために、また後述するように押し板６の上端３２に当接部３３が当接して押し板６が下方に押されたときにコイルばね１７の他端部２０が孔部２２から外れやすくするために、くの字に曲げられている。
【００１９】
支柱２の上端には、物干しアーム３０を支持するアームホルダ３１が取り付けられる。物干しアーム３０とアームホルダ３１とは、ともにアルミダイキャストで成形される。アームホルダ３１は２つ割りとされ、支柱２の上端を挟み込んだ状態でねじ止めされる。アームホルダ３１の下端には、支柱２が下降したときに押し板６の上端３２が当接する当接部３３が形成されている。
【００２０】
図６に示すように、押し板６の上端３２に当接部３３が当接して押し板６が下方に移動すると、孔部２１の下端面２３と係合片５の係止部２５との係合が解除されて、係合片５は係合孔４に嵌合可能な状態となる。
【００２１】
ここで、支柱昇降装置１の動作について説明する。支柱２の位置は４段階で調整可能とされる。まず支柱２を引き上げて高い位置に変更する場合について説明する。使用者が支柱２を引き上げていくと、図７に示すように、ばね付勢された係合突起部３４の斜面２８に係合孔４の下端面２９が当接し、係合片５をばね力に抗して回動させる。そうすると係合突起部３４は係合孔４から抜け出して支柱２の側面９にばね付勢された状態で当接する。使用者がさらに支柱２を引き上げていくと、係合突起部３４は下方にある係合孔４に再び嵌合する。このとき、ばね付勢された背板１９が底部内面２６に当接してクリック音を発するので、係合孔４が係合突起部３４に嵌合したことを容易に把握することができる。このようにして係合突起部３４を所望の位置にある係合孔４に嵌合させることができる。係合突起部３４を所望の係合孔４に嵌合させた後、支柱２を少し下げて係合孔４の上端面３５を係合突起部３４の上端に当接させると支柱２が固定される。
【００２２】
次に、支柱２を低い位置に変更する場合について説明する。たとえば物干しアーム３０の位置を２番目に高い位置（以下、第２位置という。）から３番目に高い位置（以下、第３位置という。）に変更する場合について説明する。第２位置に支柱２が固定されている状態では、係合片５の係合突起部３４が下から２番目の係合孔（以下、下からｎ番目の係合孔を第ｎ係合孔という。）４に係合している。まず、この状態から支柱を一端引き上げる。第２係合孔４の下端面２９が係合突起部３４の斜面２８に当接し係合片５を回動させる。係合突起部３４は、ばね付勢された状態で第２係合孔４から抜け出して支柱２側面９に当接した後、再び第１係合孔４に係合する。第１係合孔４の下端面２９が係合突起部３４の斜面２８に当接し係合片５を回動させると、係合突起部３４は、第１係合孔４から抜け出して支柱２の側面９にばね付勢された状態で当接する。
【００２３】
支柱２をさらに引き上げると、当接金具８が押し板６の下端面７に当接して押し板６を押圧する。押し板６が上方に移動するのに伴って、孔部２１の下端面２３が係合突起部３４の斜面２４に当接しながら移動し係止部２５に係合する。このとき、係合片５が回動して、係合突起部３４は支柱２の側面９から離れた状態で係止され、係合突起部３４と係合孔４との係合が解除されているので、支柱２は押し下げ可能となる。なお、コイルばね１７の他端部２０は、押し板６の孔部２２に嵌り込み、孔部２１の下端面２３と係止部２５との係合が保持されている（図４，図５参照）。
【００２４】
係合突起部３４と係合孔４との係合が解除された状態で、使用者が支柱２を引き下げていき、アームホルダ３１の当接部３３を押し板６の上端部３２に当接させて押し板６を下方に移動させると、孔部２１の下端面２３と係合片５の係止部２５との係合が解除され、係合突起部３４は支柱２の係合孔４に係合可能な状態となる（図６参照）。
【００２５】
使用者はこの状態から支柱２を引き上げていき、所望の高さの係合孔４を係合突起部３４に係合させることができる。支柱２を引き上げていくと、支柱２の側面９にばね付勢された係合突起部３４は第４係合孔４に係合する。支柱２をさらに引き上げていくと第４係合孔４の下端面２９が係合突起部３４の斜面２８に当接し係合片５を回動させる（図７参照）。そうすると係合突起部３４は、第４係合孔４から抜け出して支柱２側面６にばね付勢された後に第３係合孔４に係合する。支柱２を少し下げて、第３係合孔４の上端面３５を係合突起部３４に当接させると支柱２が固定される。
【００２６】
このように支柱２の位置を下げる場合には、まず支柱２を上端まで引き上げて、係合突起部３４と係合孔４との係合を解除すると、支柱２は引き下げ可能な状態となる。あるいは、係合突起部３４が嵌合している支柱２を少し持ち上げて、係合突起部３４が係合孔４の周縁部に接触することなく回動可能な状態とすると、使用者は直接押し板６を押し上げて係合片５に係合させ、係合突起部３４と係合孔４との係合を解除することもできる。
【００２７】
図８は、使用状態にある物干しアーム３０の正面図である。なお、物干しアーム３０を支持するアームホルダ３１の内部にはヒンジ４１と案内片４２とが設けられる。詳細な説明は省略するが、樹脂製のヒンジ４１は、アームホルダ３１の内面に当接した状態で回動可能である。物干しアーム３０は、使用状態において、物干しアーム３０の基端部に形成された凸部４３がヒンジ４１に嵌合し、上端リブ４５の端部４４がヒンジ４１の溝部に係合している。さらに物干しアーム３０は、端面が案内片４２に当接した状態で固定される。なお、このとき支柱２の外面が案内片４２を介して強く押圧されるので、支柱２の内側に金属製の補強材４７が設置されている。
【００２８】
物干しアーム３０を収納する場合に、使用者は上端リブ４５が鉛直方向に向くまで物干しアーム３０を回動させる。そして物干しアーム３０を下げていくと、上端リブ４５が案内片４２に沿って下方に移動して、物干しアーム３０の先端に形成された凸部４８がヒンジ４１の端面に当接するまで移動して収納される。
【００２９】
このとき物干しアーム３０の物干し竿が挿入される孔部４６は、アームホルダ３１と干渉しないので、使用者は、物干し竿を孔部４６に挿入したまま物干しアーム３０を操作することができる（図６参照）。
【００３０】
このように、物干し場所の壁面に取り付けられる支持ケース３と、この支持ケース３に上下方向に移動可能に結合支持される支柱２と、この支柱２の上端に取り付けられる物干しアーム３０とからなる物干しアーム取り付け支柱の昇降装置１において、支持ケース３の内部に軸支され、ねじりコイルばね１７により支持ケース３の開口孔から支柱２側に突出する方向に付勢され、支柱２側に上下方向適当間隔おきに形成された係合孔４のいずれか一つと係合する係合片５を備え、支持ケース３内には支柱２側の係合孔４に対する係合片５の係合を解除するとともに、支柱２側の係合孔４に対し係合片５を係止状態に復帰させるバーである押し板６を備えるので、押し板６によって係合片５と係合孔４との係合が解除され、支柱２と、支柱２を支持する支持ケース３との係合を解除する操作部を設けなくてもよく、使用者は支柱２を移動させているときに、操作部を操作し続けなくても支柱２を移動させることができ、外観に優れた物干しアーム取り付け支柱の昇降装置１とすることができる。
【符号の説明】
【００３１】
１    物干しアーム取り付け支柱の昇降装置
２，７２    支柱
３    支持ケース
４    係合孔
５    係合片
６    押し板
７    下端面
８    当接金具    
９    側面
１０    溝部
１１    案内部
１２    突起部
１３    軸心
１４    キャップ
１５    凸部
１６    ピン
１７    ねじりコイルばね
１８    一端部
１９    背板
２０    他端部
２１，２２    孔部
２３，２９    下端面
２４，２８    斜面
２５，７４ａ    係止部
２６    底部内面
２７    底部外面
３０    物干しアーム
３１    アームホルダ
３２    上端
３３    当接部
３４    係合突起部
３５    上端面
４１    ヒンジ
４２    案内片
４３，４８    凸部
４４    端部
４５    上端リブ
４６    孔部
４７    補強材
７３    係合部
７４    係止具
７６    操作具
７６ａ    操作部
７７    ばね
７８，８０    作動桿
７９    離脱具
【図１】
2012011108.tif 000003
【図２】
2012011108.tif 000004
【図３】
2012011108.tif 000005
【図４】
2012011108.tif 000006
【図５】
2012011108.tif 000007
【図６】
2012011108.tif 000008
【図７】
2012011108.tif 000009
【図８】
2012011108.tif 000010
【図９】
2012011108.tif 000011
【図１０】
2012011108.tif 000012